(57)【要約】      （修正有） 【課題】打撃面で発生した振動を直に吸収することができる打楽器を提供する。【解決手段】太鼓の片面に消音構造を施すもので、不定形の振動吸収体を鼓面に密接させるものである。胴体１は同じ長さ、厚さ、同じ形状に裁断した木材である側面材を円柱を成すように集成することで樽状の外観を呈しており、打撃時に皮より発生した振動を乱反射と共鳴する機能を持つ。支持板７は胴体１の内径に合わせて切り抜いた板で、振動吸収部材６を皮２に向かって圧迫している。【選択図】図４
0003155609.tif 000002
【実用新案登録請求の範囲】
【請求項１】
内部を空洞にした胴体の両端に、振動膜材を設置した打楽器において前記振動膜面に接すると共に外周が前記胴体に接触させた振動吸収部材と、前記胴体内壁に固定され前記振動吸収部材を支持する支持板からなる打楽器。
【請求項２】
牛皮を原料とし打撃時に振動を生み出す鼓面を形成する皮と、前記皮を胴に被せた上から胴体に皮を張設状態で固定する鋲と、それぞれ等しい長さと厚みに裁断し等しい湾曲を持つよう加工した側面材と、前記側面材を接着して樽状の外観を呈し前記鋲により皮を側面外周部に固定され打撃時に皮より発生した振動を乱反射することにより増幅する機能を持ち太鼓を形成する胴体と、胴体縁部分に設置され内部より反発することで胴体を拡張させ皮の緩みを防止するリング状の縁補強材と、振動吸収機構からなり、前記振動吸収機構は、打撃面内側に内接し、さらに内壁にも接し、皮で発生した振動を吸収する綿状の振動吸収部材と、振動吸収部材を支持する支持板と、前記支持板を支持するための胴内部に設置された支持部材から構成される請求項１の打楽器。
【請求項３】
前記振動吸収機構を打撃面のうち一方のみに有する請求項１記載の打楽器。
【請求項４】
前記振動吸収機構は４から６ｃｍの吸収部材片の集合により構成され、本体内部に設置された支持機構により打撃面である振動面全体に接することを特徴とした請求項１記載の打楽器。
【請求項５】
前記支持機構は本体内壁に固定し、本体内部を水平の部材と直角に交わる部材、および同部材によって支持され、本体内径に沿った形状の板材によって構成される請求項１記載の打楽器。
【請求項６】
牛皮を原料とし打撃時に振動を生み出す鼓面を形成する皮と、前記皮を胴に被せた上から胴体に皮を張設状態で固定する鋲と、それぞれ等しい長さと厚みに裁断し等しい湾曲を持つよう加工した側面材と、前記側面材を接着して樽状の外観を呈し前記鋲により皮を側面外周部に固定され打撃時に皮より発生した振動を乱反射することにより増幅する機能を持ち太鼓を形成する胴体と、胴体縁部分に設置され内部より反発することで胴体を拡張させ皮の緩みを防止するリング状の縁補強材と、振動吸収機構からなり、前記振動吸収機構は、打撃面内側に内接し、さらに内壁にも接し、皮で発生した振動を吸収する綿状の振動吸収部材と、振動吸収部材を支持する支持板と、前記支持板を支持するための胴内部に設置された支持部材から構成される太鼓。
【考案の詳細な説明】
【技術分野】
【０００１】
本考案は太鼓の片面に消音構造を施した打楽器に関するものである。
【背景技術】
【０００２】
打楽器、特に太鼓は打楽器の一種という性質上、打撃面に衝撃を与えれば音を出すことができるため、演奏者の経験・年齢を問わず広く親しまれる楽器である一方、他の楽器と比較しても音量、振動音ともに大きく、楽器練習用に防音設備を施した部屋でもその音が外部に漏れないよう完全に遮断することが難しい。まして個人が自宅で実際の太鼓を使用して練習するには、外部への音漏れの配慮という点で大変困難を伴っていた。
【０００３】
上記の理由により、個人の太鼓の練習には太鼓本体の代わりに古タイヤやクッションなどで代用される一方、様々な消音機構、練習用打楽器が考案されてきた。例えば、打撃面をゴムシートで覆い、その下にスポンジ状ゴムシートを設置することにより消音効果を得るもの（例えば特許文献１参照）同じく樹脂やゴム状のシートを打撃面に設置した練習用太鼓（特許文献２参照）や網状の消音装置を楽器に設置するもの（特許文献３参照）などの考案がなされてきた。
【先行技術文献】
【特許文献】
【０００４】
【特許文献１】特開平８-２０２３５３号公報（段落０００４〜０００６、第１図）
【特許文献２】実登３６４１４３４号公報（段落００８〜００１９、第２図）
【特許文献３】特開２００２-１５６９６４号公報（段落００１８〜００５３、第１図）
【考案の概要】
【考案が解決しようとする課題】
【０００５】
しかしながら、特許文献１、または特許文献２ではより本物の太鼓に近い形状として太鼓型を採用しているが本来動物の皮を使用する打撃面を異なる素材であるゴムシートを設置する為、打撃時には過剰に弾むような打感となり、通常の太鼓とは大きく打感が異なっており、また消音効果も十分とは言いがたい。
【０００６】
また特許文献３についても同様に素材の異なる振動吸収機構を楽器の打撃面に設置するため、強く叩くことを想定した上での消音効果は高いといえるが、特許文献１、特許文献２同様実際の太鼓とは打感が異なる。また設置する打楽器に合わせてその都度製作、取り付けする必要があり、煩雑である。
【課題を解決するための手段】
【０００７】
本考案はこのような従来の問題を解決しようとするもので太鼓の片面に消音構造を施すことを目的とするものである。
内部を空洞にした胴体の両端に、振動膜材を設置した打楽器において前記振動膜面に接すると共に外周が前記胴体に接触させた振動吸収部材と、前記胴体内壁に固定され前記振動吸収部材を支持する支持板を有するものとした。
【考案の効果】
【０００８】
本発明では不定形の振動吸収体を鼓面に密接させることにより、打撃面で発生した振動を直に吸収することができるため、消音できるものである。
【０００９】
演奏用の太鼓同様、打撃面に牛皮を使用しているため、打感は従来の消音機構および消音太鼓では得られない打感を得ることができる。
【図面の簡単な説明】
【００１０】
【図１】本発明の外観を示す図である。
【図２】本発明のうち胴体を構成する側面材を示す図である。
【図３】本発明のうち、皮部分の外観を現す図である。
【図４】本発明の振動吸収機構断面図を示す図である。
【図５】本発明の振動吸収体の設置状態を示す断面図である。
【図６】本発明の振動吸収体支持板の設置状態を示す断面図である。
【図７】本発明の振動吸収体支持部材の設置状態を示す断面図である。
【図８】本発明の振動吸収体支持部材の設置状態を示す断面図である。
【考案を実施するための形態】
【００１１】
図１は本発明の外観を表すものである。図は一般に長胴太鼓または宮太鼓といわれる楽器の形態で、胴体１は同じ長さ、厚さ、同じ形状に裁断した木材である側面材４を円柱を成すように集成することで樽状の外観を呈しており、打撃時に皮より発生した振動を乱反射と共鳴する機能を持つ。
【００１２】
図２は前記側面材４をあらわすものである。側面材４は原材料の松材を伐採後自然乾燥させ、さらに加工の過程で自然乾燥を繰り返し、最終工程にて人工乾燥過程をへて水分量を１０％以下に抑えた材を用いる。この乾燥工程により、前記工程を経ていない木材に比べ木材の変形、ひび割れを抑制することができる。
【００１３】
上記方法にて加工した木材を太鼓の大きさにより、胴の形状に合わせて裁断した側面材４を樽状の構造になるよう側面４a、４ａおよびの裏面を接着、集成することにより胴体１を形成するものである。
【００１４】
上記側面材４は松材を使用しているが、伝統的な太鼓の材質であるケヤキ材や、タモ材、花梨材などのくりぬき胴を用いてもよい。また同様に前記材質に加え、楡材などを用いて、段落番号００１１で述べたように側面材を集成したものに代えてもよい。
【００１５】
図１の皮２はなめし加工を施した牛皮からなるものである。皮２は牛皮を用いるが、皮は黄牛種や水牛皮等の各種牛皮のほか、馬皮など打楽器に適した皮を加工したものを用いてもよい。前記胴体１の両端の開口部に張設状態で鉄製の鋲３によって固定されることで、皮２が引っ張られ、打撃時に振動を生み出す鼓面を形成するものである。
【００１６】
図３は皮２が胴１に鋲３で固定した部分よりはみ出した部分をそのまま残す耳付仕様、また残した皮を外側に巻き込む巻耳仕様を表すものである。本発明では図１であらわしている、鋲３からはみ出した部分を切り取る耳なし仕様のほか、前記耳付仕様、巻耳仕様などにしてもよい。
【００１７】
皮２が胴体１に設置される際、鼓面から胴体外周部にはみ出した縁部分の上から鼓面に対して水平に鋲３を２列交互に打ち込むことで鼓面の張設状態を維持するものであり、打撃面の片面につき、１５０から２００本使用している。
【００１８】
鋲３は、原料の鉄を太鼓の大きさにより直径が１ｃｍから２．５ｃｍの半球になるよう加工を施した部品の内側中心に２から２.５ｃｍの長さの先端を鋭利に削った円柱または四角柱状の部品を溶接し黒色の塗料を塗ったものである。
【００１９】
ここまでは通常の減音加工を施していない一般の太鼓と同様の構造であるが、本発明の形態では２面ある打撃面のうち、一方の面内部に消音構造を施した点に特徴を有する。この構造により、片方の打撃面は消音効果を持ち、もう片面は通常の太鼓として使用することできる。
【００２０】
図４は本発明断面図である。上記にて形成した胴体１内壁の縁の内側に２から２．５ｃｍ程度の深さの溝１２を彫り、この溝の円周に合わせた竹材を曲げて形成したリングをはめ込んだ縁補強材９により胴体内部から外部に向かって反発する力を生み出し、胴体１が内側に締まらないよう、内部から広げるものである。縁補強材９は竹ではなく、樹脂または他木材、鋼鉄など金属を代用してもよい。
【００２１】
支持板７は胴体１の内径に合わせて切り抜いた板で、振動吸収部材６を皮２に向かって圧迫している。
【００２２】
支持部材５aは胴１内部を水平に横切り交差する約１８ｃｍ角の２本の部材からなり、支持板７を支持している。支持部材５aは胴１内部に釘８によって固定された支持部材５ｂと接着されている。
【００２３】
図５は図４のＡ位置における断面図である。皮２の内側、胴１の内壁、および内側から反発することで胴体１の形状を保つ縁補強材９に接するよう、振動吸収部材６が配置されている。
【００２４】
振動吸収部材６は不定形の綿状の形態をしていることで鼓面内部に隈なく接することができ、そのため鼓面が打撃された際の振動を効率よく吸収できる振動吸収部材である。
【００２５】
振動吸収部材６はポリエステル綿を使用しているが、天然綿または細かく裁断したスポンジ状の化学繊維等を使用してもよい。
【００２６】
図６は図４のＢ位置における断面図である。支持板７は厚さ５ｍｍ程度のベニヤを使用しているが、支持板は強化ダンボールや、樹脂板を使用してもよい。
【００２７】
図７は図４のＣ位置における断面図である。図６で示す支持板７を支える支持部材の設置状態をあらわす。支持部材５aの水平交差部はそれぞれ中心部を半分の厚さに削り互いに十字型になるよう交差するものである。支持部材５aは木材のほか、強化ダンボールまたは樹脂等を使用してもよい。
【００２８】
図８は図４のＤ位置における断面図である。支持部材５bは図７で示す５aに固定され、さらに釘８によって胴体１に固定されている。５ｂは木材のほか、強化ダンボールまたは樹脂等を使用してもよい。
【符号の説明】
【００２９】
１  胴体
２  皮
３  鋲
４  側面材
４a 側面材接合部
５a 支持部材
５b 支持部材
６  振動吸収体
７  支持板
８  釘
９  補強部材
10  皮（巻耳）
11  皮（耳付）
12  溝
【図１】
0003155609.tif 000003
【図２】
0003155609.tif 000004
【図３】
0003155609.tif 000005
【図４】
0003155609.tif 000006
【図５】
0003155609.tif 000007
【図６】
0003155609.tif 000008
【図７】
0003155609.tif 000009
【図８】
0003155609.tif 000010
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
内部を空洞にした胴体の両端に、振動膜面を設置した打楽器において前記振動膜面に接すると共に外周が前記胴体に接触させた振動吸収部材と、前記胴体内壁に固定され前記振動吸収部材を支持する支持板からなる打楽器。
【請求項２】
牛皮を原料とし打撃時に振動を生み出す鼓面を形成する皮と、前記皮を胴に被せた上から胴体に皮を張設状態で固定する鋲と、それぞれ等しい長さと厚みに裁断し等しい湾曲を持つよう加工した側面材と、前記側面材を接着して樽状の外観を呈し前記鋲により皮を側面外周部に固定され打撃時に皮より発生した振動を乱反射することにより増幅する機能を持ち太鼓を形成する胴体と、胴体縁部分に設置され内部より反発することで胴体を拡張させ皮の緩みを防止するリング状の縁補強材と、振動吸収機構からなり、前記振動吸収機構は、打撃面内側に内接し、さらに内壁にも接し、皮で発生した振動を吸収する綿状の振動吸収部材と、振動吸収部材を支持する支持板と、前記支持板を支持するための胴内部に設置された支持部材から構成される打楽器。
【請求項３】
前記振動吸収機構を打撃面のうち一方のみに有する請求項２記載の打楽器。
【請求項４】
前記振動吸収機構は４から６ｃｍの吸収部材片の集合により構成され、本体内部に設置された支持機構により打撃面である振動面全体に接することを特徴とした請求項２記載の打楽器。
【請求項５】
前記支持機構は本体内壁に固定し、本体内部を水平の部材と直角に交わる部材、および同部材によって支持され、本体内径に沿った形状の板材によって構成される請求項４記載の打楽器。
【請求項６】
牛皮を原料とし打撃時に振動を生み出す鼓面を形成する皮と、前記皮を胴に被せた上から胴体に皮を張設状態で固定する鋲と、それぞれ等しい長さと厚みに裁断し等しい湾曲を持つよう加工した側面材と、前記側面材を接着して樽状の外観を呈し前記鋲により皮を側面外周部に固定され打撃時に皮より発生した振動を乱反射することにより増幅する機能を持ち太鼓を形成する胴体と、胴体縁部分に設置され内部より反発することで胴体を拡張させ皮の緩みを防止するリング状の縁補強材と、振動吸収機構からなり、前記振動吸収機構は、打撃面内側に内接し、さらに内壁にも接し、皮で発生した振動を吸収する綿状の振動吸収部材と、振動吸収部材を支持する支持板と、前記支持板を支持するための胴内部に設置された支持部材から構成される太鼓。